(57)【特許請求の範囲】
【請求項１】
天井に設けられ、室内を空調するカセット形の天吊カセット形空気調和器と、
空気に対する高電圧放電により、イオンを発生させるイオン発生装置とを備え、
前記天吊カセット形空気調和器内に、調和空気用の流路系統と、前記イオン発生装置により発生するイオン用の流路系統とを区分して設け、前記調和空気を室内に吹き出すための調和空気吹き出し口と、前記イオンを室内に吹き出すためのイオン吹き出し口とを並べて配置し、
室内および前記イオン発生装置内の湿度を検知するための温湿度センサを有し、前記温湿度センサによる検知湿度に基づいて前記イオン発生装置へ供給する空気を所定の相対湿度に調整し、前記イオン発生装置からのイオン発生量を安定化させるイオン発生量安定化手段を備えることを特徴とするイオン送風システム。
【請求項２】
前記イオン発生装置は、前記天吊カセット形空気調和器の外部に設けられ、前記イオン発生装置により発生するイオンは、ダクトを介して前記天吊カセット形空気調和器内の前記イオン用の流路系統に供給されることを特徴とする請求項１に記載のイオン送風システム。
【請求項３】
前記調和空気用の流路系統の外側に沿うように前記イオン用の流路系統を別途に設け、前記調和空気吹き出し口と前記イオン吹き出し口とを互いに近接した位置に並設したことを特徴とする請求項１又は２に記載のイオン送風システム。
【請求項４】
前記天吊カセット形空気調和器の天井パネルの長手側の両端部寄りに、長手方向に平行に延びる長孔をそれぞれ配置し、内側の前記長孔を前記調和空気吹き出し口とし、外側の前記長孔を前記イオン吹き出し口としたことを特徴とする請求項１〜３のいずれか一つに記載のイオン送風システム。
【請求項５】
前記天吊カセット形空気調和器の運転状態にかかわらず、前記イオン発生装置により発生するイオンを前記イオン吹き出し口から吹き出す送気手段をさらに備えることを特徴とする請求項１〜４のいずれか一つに記載のイオン送風システム。
【請求項６】
前記イオン発生装置とダクトを介して接続され、外気を空調する外気処理用空調機をさらに備え、前記イオン発生装置は、前記外気処理用空調機の調和空気に対する高電圧放電により、イオンを発生させるものであることを特徴とする請求項１〜５のいずれか一つに記載のイオン送風システム。
【請求項７】
前記イオン発生装置とダクトを介して接続され、室内からの還気および外気を空調するデシカント空調機をさらに備え、前記イオン発生装置は、前記デシカント空調機の調和空気に対する高電圧放電により、イオンを発生させるものであることを特徴とする請求項１〜６のいずれか一つに記載のイオン送風システム。
【請求項８】
室内のイオン濃度を検知するためのイオンセンサを有し、前記イオンセンサによる検知イオン濃度に基づいて前記イオン吹き出し口から吹き出されるイオン濃度の調節を行うイオン濃度調節手段を備えることを特徴とする請求項１〜７のいずれか一つに記載のイオン送風システム。
【請求項９】
室内のイオン濃度分布を検知するためのイオンセンサを有し、前記イオンセンサによる検知イオン濃度分布に基づいて前記イオン吹き出し口から吹き出されるイオンの吹き出し方向の調節を行うイオン吹き出し方向調節手段を備えることを特徴とする請求項１〜８のいずれか一つに記載のイオン送風システム。
【請求項１０】
請求項１〜９のいずれか一つに記載のイオン送風システムに用いる天吊カセット形空気調和器。
【発明の詳細な説明】
【技術分野】
【０００１】
本発明は、各種ビル、学校、病院建物等の室内空気環境の改善を図るためのイオン送風システム及びそれに用いる天吊カセット形空気調和器に関するものである。
【背景技術】
【０００２】
従来、水分を含有する湿り空気に対する高電圧放電により、マイナスイオン、プラスイオンを発生させる高電圧放電方式によるイオン発生装置が知られている。イオン発生量は、発生装置近傍の空気の保有する水分量に依存し、相対湿度の高低や温度の高低によって、発生量が極端に減少することがある。
【０００３】
一般に、高電圧放電方式によるイオン発生装置は、温度が１５〜３５℃、相対湿度が３０〜８５％の範囲内にあれば、安定してイオンを発生するが、この範囲を外れるとイオン発生量は不安定になる。
【０００４】
また、イオン発生量は、イオンを含む空気が流路上にある障害物を通過する場合にも、物理的な衝突によってその内のかなりの数が失われる。
【０００５】
例えば、特許文献１〜６に示すように、空気の加熱あるいは冷却を行う空気調和器にイオン発生装置を組み込んだ装置の場合には、これらのことが起因となって安定したイオン量を得ることが難しくなることがある。すなわち、空気の加熱あるいは冷却を行う熱交換器の手前側にイオン発生装置を設けると、発生させたイオンが熱交換器を通過するときに、衝突によって相当数が失われる。
【０００６】
また、ファンの吸い込み側にイオン発生装置を設けると、発生させたイオンがファンによって送出されるときに、やはりファンブレードへの衝突によって、相当数が失われる。
【０００７】
さらに、空気の加熱あるいは冷却を行う熱交換器の後方側（空気の流れで下流側）にイオン発生装置を設けた場合、熱交換器によって冷却された空気は相対湿度が９０％を超える高湿度の状態となり、また、加熱した場合には相対湿度が非常に低い状態となり、共にイオンの発生量が安定しなくなる。
【先行技術文献】
【特許文献】
【０００８】
【特許文献１】特開２００２−２８６２５０号公報
【特許文献２】特開２００４−１０８７２６号公報
【特許文献３】特開２００４−３２４９２７号公報
【特許文献４】特開２００５−１３４０１６号公報
【特許文献５】特開２００５−３３７６１１号公報
【特許文献６】特開２００７−１８３０７０号公報
【発明の概要】
【発明が解決しようとする課題】
【０００９】
こうしたことから、空気調和器から吹き出される調和空気によるイオン発生量の減少、特に冷房時の低温、高湿度の冷却空気によるイオン発生量の減少を抑制し、安定したイオン量を室内に供給することができる技術の開発が望まれていた。
【００１０】
本発明は、上記に鑑みてなされたものであって、調和空気、特に冷房時の低温、高湿度の冷却空気によるイオン発生量の減少を抑制し、安定したイオン量を室内に供給することができるイオン送風システム及びそれに用いる天吊カセット形空気調和器を提供することを目的とする。
【課題を解決するための手段】
【００１１】
上記した課題を解決し、目的を達成するために、本発明の請求項１に係るイオン送風システムは、天井に設けられ、室内を空調するカセット形の天吊カセット形空気調和器と、空気に対する高電圧放電により、イオンを発生させるイオン発生装置とを備え、前記天吊カセット形空気調和器内に、調和空気用の流路系統と、前記イオン発生装置により発生するイオン用の流路系統とを区分して設け、前記調和空気を室内に吹き出すための調和空気吹き出し口と、前記イオンを室内に吹き出すためのイオン吹き出し口とを並べて配置し、室内および前記イオン発生装置内の湿度を検知するための温湿度センサを有し、前記温湿度センサによる検知湿度に基づいて前記イオン発生装置へ供給する空気を所定の相対湿度に調整し、前記イオン発生装置からのイオン発生量を安定化させるイオン発生量安定化手段を備えることを特徴とする。
【００１２】
また、本発明の請求項２に係るイオン送風システムは、上述した請求項１において、前記イオン発生装置は、前記天吊カセット形空気調和器の外部に設けられ、前記イオン発生装置により発生するイオンは、ダクトを介して前記天吊カセット形空気調和器内の前記イオン用の流路系統に供給されることを特徴とする。
【００１３】
また、本発明の請求項３に係るイオン送風システムは、上述した請求項１又は２において、前記調和空気用の流路系統の外側に沿うように前記イオン用の流路系統を別途に設け、前記調和空気吹き出し口と前記イオン吹き出し口とを互いに近接した位置に並設したことを特徴とする。
【００１４】
また、本発明の請求項４に係るイオン送風システムは、上述した請求項１〜３のいずれか一つにおいて、前記天吊カセット形空気調和器の天井パネルの長手側の両端部寄りに、長手方向に平行に延びる長孔をそれぞれ配置し、内側の前記長孔を前記調和空気吹き出し口とし、外側の前記長孔を前記イオン吹き出し口としたことを特徴とする。
【００１５】
また、本発明の請求項５に係るイオン送風システムは、上述した請求項１〜４のいずれか一つにおいて、前記天吊カセット形空気調和器の運転状態にかかわらず、前記イオン発生装置により発生するイオンを前記イオン吹き出し口から吹き出す送気手段をさらに備えることを特徴とする。
【００１６】
また、本発明の請求項６に係るイオン送風システムは、上述した請求項１〜５のいずれか一つにおいて、前記イオン発生装置とダクトを介して接続され、外気を空調する外気処理用空調機をさらに備え、前記イオン発生装置は、前記外気処理用空調機の調和空気に対する高電圧放電により、イオンを発生させるものであることを特徴とする。
【００１７】
また、本発明の請求項７に係るイオン送風システムは、上述した請求項１〜６のいずれか一つにおいて、前記イオン発生装置とダクトを介して接続され、室内からの還気および外気を空調するデシカント空調機をさらに備え、前記イオン発生装置は、前記デシカント空調機の調和空気に対する高電圧放電により、イオンを発生させるものであることを特徴とする。
【００１８】
また、本発明の請求項８に係るイオン送風システムは、上述した請求項１〜７のいずれか一つにおいて、室内のイオン濃度を検知するためのイオンセンサを有し、前記イオンセンサによる検知イオン濃度に基づいて前記イオン吹き出し口から吹き出されるイオン濃度の調節を行うイオン濃度調節手段を備えることを特徴とする。
【００１９】
また、本発明の請求項９に係るイオン送風システムは、上述した請求項１〜８のいずれか一つにおいて、室内のイオン濃度分布を検知するためのイオンセンサを有し、前記イオンセンサによる検知イオン濃度分布に基づいて前記イオン吹き出し口から吹き出されるイオンの吹き出し方向の調節を行うイオン吹き出し方向調節手段を備えることを特徴とする。
【００２０】
また、本発明の請求項１０に係る天吊カセット形空気調和器は、上述した請求項１〜９のいずれか一つに記載のイオン送風システムに用いる天吊カセット形空気調和器である。
【発明の効果】
【００２２】
本発明のイオン送風システムによれば、天井に設けられ、室内を空調するカセット形の天吊カセット形空気調和器と、空気に対する高電圧放電により、イオンを発生させるイオン発生装置とを備え、前記天吊カセット形空気調和器内に、調和空気用の流路系統と、前記イオン発生装置により発生するイオン用の流路系統とを区分して設け、前記調和空気を室内に吹き出すための調和空気吹き出し口と、前記イオンを室内に吹き出すためのイオン吹き出し口とを並べて配置したので、天吊カセット形空気調和器による空気の冷却や加熱による相対湿度の変化に影響されずに、イオン吹き出し口において安定したイオン量を確保することができる。このため、冷房時の低温、高湿度の冷却空気によるイオン発生量の減少を抑制し、安定したイオン量を室内に供給することができる。
【図面の簡単な説明】
【００２３】
【図１】図１は、本発明の天吊カセット形空気調和器の実施形態を示す見取り図である。
【図２】図２は、本発明の天吊カセット形空気調和器を示す断面図である。
【図３】図３は、本発明の天吊カセット形空気調和器の内部における空気の流れを示す断面図である。
【図４】図４は、本発明の天吊カセット形空気調和器を示す上面図である。
【図５】図５は、本発明の天吊カセット形空気調和器を示す下面図である。
【図６】図６は、本発明のイオン送風システムの実施の形態１の断面図である。
【図７−１】図７−１は、本発明のイオン送風システムの実施の形態２の断面図である。
【図７−２】図７−２は、本発明のイオン送風システムの実施の形態３の断面図である。
【図８】図８は、従来の標準的な天吊カセット形空気調和器を示す見取り図である。
【図９】図９は、従来の標準的な天吊カセット形空気調和器にイオン発生素子を内蔵させた例を示す断面図である。
【図１０】図１０は、従来の標準的な天吊カセット形空気調和器にイオン発生素子を内蔵させた例の内部における空気の流れを示す断面図である。
【図１１】図１１は、従来の標準的な天吊カセット形空気調和器を示す下面図である。
【図１２】図１２は、本発明の天吊カセット形空気調和器に、ファンを内蔵したイオン発生装置を接続して使用して、実際に室内に吹き出すイオンの量を測定する状態を示す説明的な断面図である。
【図１３】図１３は、本発明の天吊カセット形空気調和器に用いた室内に吹き出すイオンの量を測定する治具と、測定点を示す見取り図である。
【図１４】図１４は、従来の標準的な天吊カセット形空気調和器に、イオン発生素子を内蔵させたものを使用して、実際に室内に吹き出すイオンの量を測定する状態を示す説明的な断面図である。
【図１５】図１５は、従来の天吊カセット形空気調和器に用いた室内に吹き出すイオンの量を測定する治具と、測定点を示す見取り図である。
【図１６】図１６は、表１の結果を示したグラフ図である。
【発明を実施するための形態】
【００２４】
以下に、本発明に係るイオン送風システム及びそれに用いる天吊カセット形空気調和器の実施例を図面に基づいて詳細に説明する。なお、この実施例によりこの発明が限定されるものではない。
【００２５】
［天吊カセット形空気調和器］
図１〜図５に示すように、本発明に係る天吊カセット形空気調和器１は、空調対象とする部屋の天井面に取り付けられるカセット形の室内空調用ユニットである。この天吊カセット形空気調和器１の本体１１内には、送風機１４、熱交換器１２が内蔵してあり、調和空気用の流路系統としての調和空気流路１７と、図示しないイオン発生装置により発生するイオン用の流路系統としてのイオン空気流路１５とが区分して設けてある。
【００２６】
本体１１下面には、点検パネル５を有する天井パネル６が設けられ、この天井パネル６には、調和空気流路１７からの調和空気を室内に吹き出すための調和空気吹き出し口１８と、イオン空気流路１５からのイオンを室内に吹き出すためのイオン吹き出し口１６とが並べて配置してある。
【００２７】
イオン吹き出し口１６および調和空気吹き出し口１８は、天井パネル６の長手側の両端部寄りに長手方向に平行に延びる長孔であり、イオン吹き出し口１６は外側に、調和空気吹き出し口１８は内側に配置されている。また、調和空気吹き出し口１８の内側には、空気吸い込み口１９が配置されている。
【００２８】
本体１１内の長手側の壁際には、本体１１内を流通する調和空気の流路１７とイオンとを隔絶するための仕切り２０が設けられ、この仕切り２０によってイオン空気流路１５が形成されている。この流路１５は、本体１１の長手側の両側面の略中央に設けたイオンダクト接続口２に連通しており、２方向からイオン空気の供給を受け得るようになっている。また、調和空気流路１７と調和空気吹き出し口１８との間には、調和空気流路１７から送られる風量を両側の調和空気吹き出し口１８に分配するための風量分配ダクト２１が設けてある。
【００２９】
吹き出し口１６，１８には、可動式のイオン吹き出しルーバー３（イオン吹き出し方向調節手段）と、調和空気吹き出しルーバー４とがそれぞれ設けられ、吹き出し気流の方向をそれぞれ調節できるようにしてある。
【００３０】
本体１１の側面には、空気の冷却、加熱を行うための熱交換器１２に通ずる配管接続口（冷温水入口）８と配管接続口（冷温水出口）９とドレン配管接続口１３とが設けられている。また、内蔵した送風機１４を運転するための配線接続用の端子台１０が設けられている。本体１１の上部には天井に取り付けるための吊り穴７が設けられている。
【００３１】
上記構成の動作及び作用について説明する。
図３に示すように、室内の空気は、空気吸い込み口１９を通って送風機１４に吸い込まれる。送風機１４は、この空気を熱交換器１２に送り込み、冷房時は冷却、暖房時は加熱されることで調和空気とする。この調和空気は調和空気流路１７と風量分配ダクト２１を通り、調和空気吹き出しルーバー４とイオン吹き出しルーバー３とによって仕切られた調和空気吹き出し口１８を通って、室内に冷風又は温風として吹き出され、冷房又は暖房を行う。
【００３２】
このとき同時に、イオンダクト接続口２に接続されたイオン空気ダクト２２から、イオンを含む空気がイオン空気流路１５内に送風され、イオン吹き出し口１６を通して、室内に送られる。
【００３３】
このように、長孔状の調和空気吹き出し口１８の外側に、これと平行に延びる長孔状のイオン吹き出し口１６を別個に設けることにより、調和空気の温度・湿度による影響を受けやすいイオン発生量を安定させるとともに、調和空気と同時並行してイオンを吹き出すことによって調和空気にイオンを載せ、室内の隅々迄イオンを到達させることができる。
【００３４】
また、天吊カセット形空気調和器が運転停止中であっても、図示しないイオン発生装置側に設けたファンでイオン吹き出し口１６からイオンを吹き出すことにより、イオンを含む空気だけを室内に吹き出すこともできる。
【００３５】
以上により、天吊カセット形空気調和器１による空気の冷却や加熱による相対湿度の変化に影響されずに、イオン吹き出し口１６において安定したイオン量を確保することができる。このため、例えば、冷房時の低温、高湿度の冷却空気によるイオン発生量の減少を抑制し、安定したイオン量を室内に供給することができる。
【００３６】
［イオン送風システム：実施の形態１］
図６は、本発明のイオン送風システムの実施の形態１を示す断面図である。
図６に示すように、本発明の実施の形態１のイオン送風システム１００は、上記の天吊カセット形空気調和器１に、ファン内蔵イオン発生装置２３を接続して構成したものである。
【００３７】
天吊カセット形空気調和器１は、点検口２８を有する天井ボード２７の裏側の天井内に設置され、室内からは、図示しない空気吸い込み口１９と、吹き出し口１６，１８からなる吹き出しグリルとを備えた天井パネル６のみが見えている。
【００３８】
なお、図６には、便宜上、外気を直接取り入れる場合と、室内空気を吸い込んで循環する場合の両方を示している。また、図示していないが、ファン内蔵イオン発生装置２３の出口側の接続ダクト２２は途中で分岐して、天吊カセット形空気調和器１の図中左側のイオンダクト接続口２にも同様に接続している。
【００３９】
天吊カセット形空気調和器１は、室内から空気Ｒを吸い込み、送風機１４、熱交換器１２、風量分配ダクト２１を通して調和空気Ｒ１を室内に吹き出し、冷暖房を行う。
【００４０】
一方、ファン内蔵イオン発生装置２３は、送気手段としてのファン２３ｂとイオン発生素子２３ａとを内蔵しており、天井ボード２７に設けた還気グリル２５とダクト２４を通して室内空気Ｓａ又は屋外のベントキャップ２６を介して外気Ｓｂを吸い込み、この吸い込んだ空気に対してイオン発生素子２３ａが高電圧放電を行うことで、プラスイオン、マイナスイオンをそれぞれ発生させる。そして、このイオンを含む空気Ｓを、ダクト２２により本発明の天吊カセット形空気調和器１に送風するようになっている。
【００４１】
ファン内蔵イオン発生装置２３では、室内空気Ｓａを吸い込む場合、イオン発生素子２３ａに通風される空気の状態は、室内空気Ｓａそのものであり、温度、湿度ともイオン発生素子２３ａの動作に最も適した範囲で、安定したイオン量を発生することが可能である。
【００４２】
また、外気Ｓｂを吸い込む場合でも、イオン発生素子２３ａに通風される空気の状態は、ほとんどの場合、温度、湿度ともイオン発生素子２３ａの動作許容範囲内に十分に収まるので、安定したイオンの発生が行える。
【００４３】
ダクト２２から取り込まれたイオンを含む空気Ｓは、天吊カセット形空気調和器１のイオン空気流路１５を通して、天井パネル６のイオン吹き出し口１６から、イオンを含む空気Ｓ１として室内に吹き出され、室内空気のイオン濃度を高める。
【００４４】
以上により、本発明の実施の形態１のイオン送風システム１００によれば、天吊カセット形空気調和器１による空気の冷却や加熱による相対湿度の変化に影響されずに、イオン吹き出し口１６において安定したイオン量を確保することができる。このため、例えば、冷房時の低温、高湿度の冷却空気によるイオン発生量の減少を抑制し、安定したイオン量を室内に供給することができる。
【００４５】
［イオン送風システム：実施の形態２］
図７−１は、本発明のイオン送風システムの実施の形態２を示す断面図である。
図７−１に示すように、本発明の実施の形態２のイオン送風システム２００は、上記の天吊カセット形空気調和器１に、イオン発生素子３０ａのみを内蔵したイオン発生装置３０と、外気処理用コンパクト形空調機３４（外気処理用空調機）とを接続して構成したものである。
【００４６】
天吊カセット形空気調和器１は、点検口３３を有する天井ボード３２の裏側の天井内に設置され、室内からは、図示しない空気吸い込み口１９と、吹き出し口１６，１８からなる吹き出しグリルとを備えた天井パネル６のみが見えている。
【００４７】
なお、図７−１には図示していないが、イオン発生装置３０の出口側の接続ダクト２９は途中で分岐して、天吊カセット形空気調和器１の図中左側のイオンダクト接続口２にも同様に接続している。また、室内から吸い込んだ空気を冷却、加熱して室内の冷暖房を行うのは、図６と同様である。
【００４８】
イオン発生装置３０は、イオン発生素子３０ａを内蔵しており、ファンを内蔵していない。一方、外気処理用コンパクト形空調機３４は送風機３５を有し、送風機３５からの空気Ｓｄは、ダクト３１によりイオン発生装置３０に送り込まれるようにしてある。送り込まれた空気Ｓｄに対してイオン発生素子３０ａが高電圧放電を行うことで、プラスイオン、マイナスイオンをそれぞれ発生させる。そして、このイオンを含む空気Ｓを、ダクト２９により本発明の天吊カセット形空気調和器１に送風するようになっている。
【００４９】
外気処理用コンパクト形空調機３４では、内蔵されるエアフィルタ３４ａ、熱交換器３４ｂ及び加湿器３４ｃなどにより、ダクト３６で取り入れた外気Ｓｃを室内の温度、湿度に近い状態に冷却あるいは加熱してから送風するようにしてある。このため、イオン発生素子３０ａに通風される空気の状態は、温度、湿度ともイオン発生素子３０ａの動作に最も適した範囲であり、安定したイオンの発生が行える。
【００５０】
ダクト２９から取り込まれたイオンを含む空気Ｓは、天吊カセット形空気調和器１のイオン空気流路１５を通して、天井パネル６のイオン吹き出し口１６から、イオンを含む空気Ｓ１として室内に吹き出され、室内空気のイオン濃度を高める。
【００５１】
以上により、本発明の実施の形態２のイオン送風システム２００によれば、天吊カセット形空気調和器１による空気の冷却や加熱による相対湿度の変化に影響されずに、イオン吹き出し口１６において安定したイオン量を確保することができる。このため、例えば、冷房時の低温、高湿度の冷却空気によるイオン発生量の減少を抑制し、安定したイオン量を室内に供給することができる。
【００５２】
［イオン送風システム：実施の形態３］
図７−２は、本発明のイオン送風システムの実施の形態３を示す断面図である。
図７−２に示すように、本発明の実施の形態３のイオン送風システム３００は、上記の天吊カセット形空気調和器１に、イオン発生素子３０ａのみを内蔵したイオン発生装置３０と、外気処理を含むコンパクト形のデシカント空調機５６とを接続して構成したものである。
【００５３】
天吊カセット形空気調和器１は、点検口３３を有する天井ボード３２の裏側の天井内に設置され、室内からは、図示しない空気吸い込み口１９と、吹き出し口１６，１８からなる吹き出しグリルとを備えた天井パネル６のみが見えている。
【００５４】
なお、図７−２には図示していないが、イオン発生装置３０の出口側の接続ダクト２９は途中で分岐して、天吊カセット形空気調和器１の図中左側のイオンダクト接続口２にも同様に接続している。また、室内から吸い込んだ空気を冷却、加熱して室内の冷暖房を行うのは、図６、図７−１と同様である。
【００５５】
イオン発生装置３０は、イオン発生素子３０ａを内蔵しており、ファンを内蔵していない。一方、デシカント空調機５６は給気送風機６２を有し、給気送風機６２からの空気Ｓｅは、給気ダクト６５によりイオン発生装置３０に送り込まれるようにしてある。送り込まれた空気Ｓｅに対してイオン発生素子３０ａが高電圧放電を行うことで、プラスイオン、マイナスイオンをそれぞれ発生させる。そして、このイオンを含む空気Ｓを、ダクト２９により本発明の天吊カセット形空気調和器１に送風するようになっている。
【００５６】
デシカント空調機５６では、室内から還気Ｒｅを還気ダクト６４を通して取り入れ、顕熱交換器５９により顕熱交換を行い、再生加熱器５８により加熱、さらにデシカントロータ５７を通してから、排気送風機６１により屋外に排気（図中ＥＡと表記）される。
【００５７】
また、屋外から取り入れた外気（図中ＯＡと表記）は、エアフィルタ６３により清浄され、給気送風機６２によって送られ、デシカントロータ５７により除湿されてから顕熱交換器５９を通り、冷却コイル６０により所定の温度に調節された後、給気流の空気Ｓｅとして、給気ダクト６５を通ってイオン発生装置３０に送風される。
【００５８】
屋外から取り入れた外気ＯＡは、デシカント空調機５６により、除湿してから送風されるので、イオン発生素子３０ａに通風される空気の状態は、温度、湿度ともイオン発生素子３０ａの動作に最も適した範囲であり、安定したイオンの発生が行える。
【００５９】
ダクト２９から取り込まれたイオンを含む空気Ｓは、天吊カセット形空気調和器１のイオン空気流路１５を通して、天井パネル６のイオン吹き出し口１６から、イオンを含む空気Ｓ１として室内に吹き出され、室内空気のイオン濃度を高める。
【００６０】
以上により、本発明の実施の形態３のイオン送風システム３００によれば、天吊カセット形空気調和器１による空気の冷却や加熱による相対湿度の変化に影響されずに、イオン吹き出し口１６において安定したイオン量を確保することができる。このため、例えば、冷房時の低温、高湿度の冷却空気によるイオン発生量の減少を抑制し、安定したイオン量を室内に供給することができる。
【００６１】
［本発明と従来の効果の比較］
次に、本発明の天吊カセット形空気調和器と、従来の天吊カセット形空気調和器の効果を比較した測定について説明する。
【００６２】
図８〜図１１に示すように、従来の天吊カセット形空気調和器３７は、本体４５内に設けた調和空気流路４８の中にイオン発生素子５０を組み込んだものであり、室内から吸い込み、熱交換器５２により冷却又は加熱された空気（調和空気）に、プラスイオン及びマイナスイオンを与えて、イオンを含む調和空気を送風機４７によって室内に吹き出すように構成したものである。
【００６３】
本体４５下面には、点検パネル４０を有する天井パネル３８が設けられ、この天井パネル３８には、調和空気流路４８からの調和空気を室内に吹き出すための調和空気吹き出し口が配置してある。この調和空気吹き出し口は、天井パネル３８の長手側の両端部寄りに長手方向に平行に延びる長孔である。この調和空気吹き出し口には、可動式の調和空気吹き出しルーバー３９が設けられ、吹き出し気流の方向を調節できるようにしてある。
【００６４】
また、調和空気流路４８と調和空気吹き出し口との間には、調和空気流路４８から送られる風量を両側の調和空気吹き出し口に分配するための風量分配ダクト５１が設けてある。この調和空気吹き出し口の内側には、空気吸い込み口４９が配置されている。
【００６５】
本体４５の側面には、空気の冷却、加熱を行うための熱交換器５２に通ずる配管接続口（冷温水入口）４２と配管接続口（冷温水出口）４３とドレン配管接続口４６とが設けられている。また、内蔵した送風機４７を運転するための配線接続用の端子台４４が設けられている。本体４５の上部には天井に取り付けるための吊り穴４１が設けられている。
【００６６】
ところで、上記の従来の天吊カセット形空気調和器３７のように、空気の冷却あるいは加熱を行う熱交換器５２の下流側（空気の流れから見ると、熱交換器に先に空気が通るので下流側という。）にイオン発生装置としてのイオン発生素子５０を設けた場合、熱交換器５２によって冷却された空気は、相対湿度が９０％を超える高湿度の状態となり、また、加熱した場合には、相対湿度が非常に低い状態となり、イオンの発生量は安定しない。
【００６７】
上述したように、高電圧放電方式によるイオン発生装置は、温度が１５〜３５℃、相対湿度が３０〜８５％の範囲内にあれば、安定してイオンを発生するが、この範囲を外れると発生量は不安定になる。
【００６８】
そこで、本発明の発明者は、このような従来の天吊カセット形空気調和器３７にイオン発生素子５０だけを組み込んだ構成と、本発明の天吊カセット形空気調和器１のような独立したイオン空気流路１５を有する構成とで、室内に実際に吹き出されるイオン量にどれだけ差があるのかを把握するため、冷房運転時の冷風によるマイナスイオン発生数の増減への影響について試験を行い、表１の結果を得た。
【００６９】
【表１】
0005414466.tif 000002
【００７０】
表１において、実施例１及び実施例２は、図１２及び図１３に示すような本発明の天吊カセット形空気調和器１に、ファン２３ａを内蔵したイオン発生装置２３を接続した構成において、室内に吹き出されるイオンの量を実際に測定した結果である。図１２及び図１３に示すように、天井パネルの空気吹き出し口の下面に、イオン数測定用治具５３を設置し、イオンカウンター挿入用開口５５から挿入したイオンカウンター５４により吹き出し空気に含まれるマイナスイオンの数を測定点１〜８について８カ所測定している。
【００７１】
表１の実施例１は、ファン２３ａによる通風のみを行い、天吊カセット形空気調和器１（表１中、ＦＣＵと表記）を運転停止した場合である。実施例２は、ファン２３ａによる通風を行いつつＦＣＵを弱で冷房運転した場合である。表１では、実施例１の測定点６におけるイオン数測定値を１として、他の測定点のイオン数を比率で表している。
【００７２】
また、比較例１及び比較例２は、図１４及び図１５に示すような従来の天吊カセット形空気調和器３７に、イオン発生素子５０を内蔵させた構成において、室内に吹き出されるイオンの量を実際に測定した結果であり、上記と同様に実施例１の測定点６におけるイオン数測定値を１とした比率で表している。図１４及び図１５に示すように、従来の天吊カセット形空気調和器３７においても、イオン数測定用治具５３、イオンカウンター挿入用開口５５及びイオンカウンター５４を、図１２及び図１３と同様の位置に設置し、マイナスイオンの数を８カ所測定している。
【００７３】
図１６は、表１の結果をグラフ化したものである。
図１６及び表１に示すように、実施例１は、天吊カセット形空気調和器１の運転を停止し、ファン内蔵イオン発生装置２３からだけの送風をした場合であるが、どの測定点でもイオン数の比率は０．９１〜１．０７程度の範囲内の安定した値を示している。
【００７４】
また、実施例２は、天吊カセット形空気調和器１をファン弱で冷房運転し、ファン内蔵イオン発生装置２３からの送風を行った場合であるが、どの測定点でもイオン数の比率は０．９０〜１．０４程度の範囲内の安定した値を示している。
【００７５】
一方、比較例１は、従来の天吊カセット形空気調和器３７にイオン発生素子５０を組み込んだ構成に対し熱交換器５２での冷却を行わずファン（送風機）４７のみ弱運転した場合であるが、イオン数の比率は、０．２７〜１．０４と広範囲になり、測定点によるイオン数のばらつきが大きい。比較例２は、熱交換器５２で冷却を行った場合であるが、ファン４７のみ運転した場合に比べて全体のイオン数が半分程度に減るとともに、イオン数の比率は、０．１１〜０．８６で測定点ごとのばらつきも大きい。図１６のグラフからも明らかなように、比較例に比べて、実施例側に、明確な優位性があることがわかる。
【００７６】
しかして、実施例１、実施例２の試験結果からみて明白なように、本発明によれば、空気の冷却の影響を排除して発生イオン数が安定し、また、イオン発生装置からダクトを通して送風されてくるためイオン数のばらつきも極めて少なく、イオン吹き出しルーバーから、均一にイオンが吹き出されていることがわかる。
【００７７】
なお、室内形の空気調和器は、一般に冷房や暖房運転の立ち上がり時は、室内温度と設定温度との偏差が大きいため、ファンは強運転され、早く所定の温度に達するように自動運転される。設定温度に達した後の定常状態では、ファンは弱での連続運転となり、熱源側の熱媒の量の制御で設定室内温度を一定に保とうとする制御が働く。この試験では、定常状態を想定したファン弱での連続運転を想定した試験を行い、実際の使用状態を再現している。
【００７８】
上記の実施の形態において、室内におけるイオン濃度を一定レベル以上に保とうとする場合、イオンを含む空気を室内の隅々まで行き渡させる必要がある。イオンは、室内に吹き出した瞬間から減少を始める。
【００７９】
一般に、ルーバーなどを有する細長いスリット状の吹き出しグリルから吹き出される空気は、吹き出し風速が一定ならば、その到達距離は、吹き出しグリルの幅によって決まる。
【００８０】
上記の実施の形態では、天吊カセット形空気調和器の調和空気吹き出し口と、イオンを含む空気のイオン吹き出し口とを天井パネルに並べて設けており、空気調和器の冷暖房運転時には、双方の吹き出し口から同時に空気を吹き出すことにより、結果的に上記の吹き出しグリルの幅を広げた場合と同様の効果が得られ、室内における到達距離が伸びる。これによって、イオンを含む空気を、空調の風に載せて、部屋の隅々まで行き渡らせることができる。また、天吊カセット形空気調和器が運転停止中であっても、イオンを含む空気だけを室内に吹き出すことができることはいうまでもない。
【００８１】
ところで、イオン発生装置内のイオン発生素子は、通常、相対湿度８０％以上となると放電効率が低下する。そこで、本発明では、天吊カセット形空気調和器内にイオン発生素子を設置するのでなく、外部にイオン発生装置を設置することにより、冷房時の天吊カセット形空気調和器内の結露対策としている。
【００８２】
また、本発明では、外気だけを供給するのでなく、室内の還気やデシカント装置からの乾燥空気を外気に混合することで、イオン発生素子へ供給される空気を相対湿度８０％以下に調整し、年間を通じて安定的にイオンを発生させることも提案している。こうすることで、雨期や夏季の高湿度対策とするとともに、暖房時の外気処理用空調機からの加湿空気対策としている。なお、湿度管理は、室内、ダクト内、イオン発生装置内などへ温湿度センサ等を設置することで行うことができる。
【００８３】
この場合、温湿度センサによる検知湿度に基づいてイオン発生装置へ供給する空気を所定の相対湿度に調整し、イオン発生装置からのイオン発生量を安定化させてもよい（イオン発生量安定化手段）。
【００８４】
また、室内イオン濃度管理の方法として、室内に複数のイオンセンサを設置し、室内のイオン濃度分布を把握するようにしてもよい。イオンセンサとしては、コンデンサ形イオン密度測定器などの原理に基づいたプラスイオンとマイナスイオンを測定できるセンサを用いることができる。イオンセンサで検知したイオン濃度に基づいて、室内のイオン濃度やイオン濃度分布を把握することにより、本発明の天吊カセット形空気調和器から放出するイオン濃度（プラスイオンのみ、マイナスイオンのみ、あるいはプラスイオンとマイナスイオンとを同時に）の調節制御を行ってもよい（イオン濃度調節手段）。
【００８５】
このイオン濃度の調節は、本発明のイオン送風システムのイオン発生装置に複数のマイナスイオン発生素子とプラスイオン発生素子とを搭載し、稼動するイオン発生素子の数を調整させたり、稼動するイオン発生素子への印加電圧を変化させることで行うことができる。また、イオンセンサで検知したイオン濃度に基づいて、イオン発生装置のファン回転数を制御し、風速を調節することで、イオンの拡散範囲を調節してもよいし、イオン吹き出しルーバーの角度の調節制御を行い、イオンの放出風向を変えてもよい。
【００８６】
以上説明したように、本発明のイオン送風システムによれば、天井に設けられ、室内を空調するカセット形の天吊カセット形空気調和器と、空気に対する高電圧放電により、イオンを発生させるイオン発生装置とを備え、前記天吊カセット形空気調和器内に、調和空気用の流路系統と、前記イオン発生装置により発生するイオン用の流路系統とを区分して設け、前記調和空気を室内に吹き出すための調和空気吹き出し口と、前記イオンを室内に吹き出すためのイオン吹き出し口とを並べて配置したので、天吊カセット形空気調和器による空気の冷却や加熱による相対湿度の変化に影響されずに、イオン吹き出し口において安定したイオン量を確保することができる。このため、冷房時の低温、高湿度の冷却空気によるイオン発生量の減少を抑制し、安定したイオン量を室内に供給することができる。
【産業上の利用可能性】
【００８７】
以上のように、本発明に係るイオン送風システム及びそれに用いる天吊カセット形空気調和器は、調和空気によるイオン発生量の減少を抑制し、安定したイオン量を室内に供給するのに有用であり、特に、冷房時の低温、高湿度の冷却空気によるイオン発生量の減少を抑制し、安定したイオン量を室内に供給するのに適している。
【符号の説明】
【００８８】
１  天吊カセット形空気調和器
２  イオンダクト接続口
３  イオン吹き出しルーバー（イオン吹き出し方向調節手段）
４  調和空気吹き出しルーバー
５  点検パネル
６  天井パネル
７  吊り穴
８  配管接続口（冷温水入口）
９  配管接続口（冷温水出口）
１０  端子台
１１  天吊カセット形空気調和器本体
１２  熱交換器
１３  ドレン配管接続口
１４  送風機
１５  イオン空気流路（イオン用の流路系統）
１６  イオン吹き出し口
１７  調和空気流路（調和空気用の流路系統）
１８  調和空気吹き出し口
１９  空気吸い込み口
２０  仕切り
２１  風量分配ダクト
２２  イオン空気ダクト
２３  ファン内蔵イオン発生装置（イオン発生装置）
２３ａ  イオン発生素子
２３ｂ  ファン（送気手段）
２４  ダクト
２５  還気グリル（室内空気吸い込み口）
２６  ベントキャップ（外気吸い込み口）
２７  天井ボード
２８  点検口
Ｓ  イオン空気流
Ｓａ  室内空気吸い込み流
Ｓｂ  外気吸い込み流
Ｓｃ  外気流
Ｓｄ  給気流
Ｓ１  イオン空気吹き出し流
Ｒ  室内空気吸い込み流
Ｒ１  調和空気吹き出し流
２９  イオン空気ダクト
３０  イオン発生装置（ファン無しタイプ）
３０ａ  イオン発生素子
３１  ダクト
３２  天井ボード
３３  点検口
３４  外気処理用コンパクト形空調機（外気処理用空調機、エアハンドリング装置）
３４ａ  エアフィルタ
３４ｂ  熱交換器
３４ｃ  加湿器
３５  送風機
３６  外気取り入れダクト
３７  従来の天吊カセット形空気調和器
３８  天井パネル
３９  調和空気吹き出しルーバー
４０  点検パネル
４１  吊り穴
４２  配管接続口（冷温水入口）
４３  配管接続口（冷温水出口）
４４  端子台
４５  天吊カセット形空気調和器本体
４６  ドレン配管接続口
４７  送風機
４８  調和空気流路
４９  空気吸い込み口
５０  イオン発生素子
５１  風量分配ダクト
５２  熱交換器
５３  イオン数測定用治具
５４  イオンカウンター（イオン量測定器）
５５  イオンカウンター挿入用開口
５６  デシカント空調機
５７  デシカントロータ
５８  再生加熱器
５９  顕熱交換器
６０  冷却コイル
６１  排気送風機
６２  給気送風機
６３  エアフィルタ
６４  還気ダクト
６５  給気ダクト
Ｓｅ  給気流
Ｒｅ  還気流
１００  イオン送風システム（実施の形態１）
２００  イオン送風システム（実施の形態２）
３００  イオン送風システム（実施の形態３）
【図１】
0005414466.tif 000003
【図２】
0005414466.tif 000004
【図３】
0005414466.tif 000005
【図４】
0005414466.tif 000006
【図５】
0005414466.tif 000007
【図６】
0005414466.tif 000008
【図７−１】
0005414466.tif 000009
【図７−２】
0005414466.tif 000010
【図８】
0005414466.tif 000011
【図９】
0005414466.tif 000012
【図１０】
0005414466.tif 000013
【図１１】
0005414466.tif 000014
【図１２】
0005414466.tif 000015
【図１３】
0005414466.tif 000016
【図１４】
0005414466.tif 000017
【図１５】
0005414466.tif 000018
【図１６】
0005414466.tif 000019